(57)【要約】      （修正有）【課題】固定手段を短くすることができると共に閉鎖装置本体のコンパクト化を図る。【解決手段】固定手段２Ａは、引戸１の開放側部位に設けられかつ導入傾斜面２１ｂが形成された落し２３を有する第１案内部２１及び第１案内部より引戸の閉鎖側部位に設けられた第２案内部２２とで構成され、閉鎖装置本体９Ａは、固定軸１２に軸支されて一端部に第１滑動部分１３Ａを有すると共に他端部に被係合部１８を有する回転体１４Ａ、第１滑動部分が落しに落ち込むように回転体を落し方向へ常時付勢する付勢手段１１Ａ、一端部に回転体の被係合部に係合する係合部２８を有すると共に他端部に第２滑動部分１６Ａを有する回転体用位置保持手段１５Ａ、とから構成され、引戸の完全閉鎖時の直前までに第２案内部に制御される回転体用位置保持手段が回転体の係合を解き、その後、第１滑動部分が落しの導入傾斜面を押圧しながら落しに係入する。【選択図】図３
2014012954.tif 000002
【特許請求の範囲】
【請求項１】
引戸又は戸枠のいずれかに配設された固定手段と、この固定手段に対して引戸又は戸枠のいずれかに配設され、前記固定手段に第１・第２の滑動部分がそれぞれ当接する閉鎖装置本体とから成る引戸閉鎖装置であって、固定手段は、引戸の開放側部位に設けられかつ導入傾斜面が形成された落しを有する第１案内部及びこの第１案内部より引戸の閉鎖側部位に設けられた第２案内部とで構成され、一方、閉鎖装置本体は、固定軸に軸支されて、一端部に第１滑動部分を有すると共に、他端部に被係合部を有する回転体、第１滑動部分が落しに落ち込むように該回転体を落し方向へ常時付勢する付勢手段、一端部に回転体の被係合部に係合する係合部を有すると共に、他端部に前記第２滑動部分を有する回転体用位置保持手段とから構成され、引戸の完全閉鎖時に、回転体の第１滑動部分は固定手段の第１案内部に制御されると共に、回転体用位置保持手段は固定手段の第２案内部に制御され、完全閉鎖時の直前までに回転体用位置保持手段からの係合を解かれた回転体は、その後、第１滑動部分が落しの導入傾斜面を押圧しながら該落しに係入する引戸閉鎖装置。
【請求項２】
請求項１に於いて、固定手段は、少なくとも第１案内部を有する第１固定プレートと、この第１固定プレートの引戸の閉鎖側端部に一体的に固定された第２案内部を有する第２固定プレートとから成る引戸側の一つの案内部材であることを特徴とする引戸閉鎖装置。
【請求項３】
請求項１に於いて、閉鎖装置本体は、下端開口の長箱状の収納ケース体に組み込まれ、その回転体は、前記収納ケース体に横設軸架された固定軸に軸支されていることを特徴とする引戸閉鎖装置。
【請求項４】
請求項１に於いて、付勢手段の中央部は固定軸に巻装されていることを特徴とする引戸閉鎖装置。
【請求項５】
請求項１に於いて、回転体用の位置保持手段は、その支軸に中央部が巻装されたバネ部材で係合解除の方向に常時付勢されており、引戸の完全閉鎖時、その第２滑動部分が第２案内部の傾斜面を滑動して行くと、前記バネ部材のバネ力に抗して係合部が回転体の被係合部から離れ行くことを特徴とする引戸閉鎖装置。
【発明の詳細な説明】
【技術分野】
【０００１】
本発明は引戸閉鎖装置に関する。本発明は単独で実施することもできるが、例えば緩衝装置（ダンパー装置）と組み合わせて用いもこともできる引戸閉鎖装置に関する。なお、緩衝装置と本発明の引戸閉鎖装置を組み合わせた実施形態は、「ソフトクローズ装置」と称され得る。
【背景技術】
【０００２】
特許文献１は出願人が提案した引戸閉鎖装置の一例である。ここで、特許文献１の主要部を、図９及び図１０を参照にして説明する。
【０００３】
図９及び図１０に於いて、１は引戸で、この引戸の上端部には、ケース状に形成された固定部材２が水平方向に設けられている。この固定部材２は、向う側の長尺状第１固定プレート２ａと、該第１固定プレート２ａと対向する手前側の長尺状第２固定プレート２ｂとから構成されており、図面に表れている手前側の長尺状第２固定プレート２ｂの中途部には段差部分３が形成されている（構成が複雑なので、便宜上、手前側の長尺状第２固定プレート２ｂを仮想線で描く）。
【０００４】
しかして、この固定部材２の内部には、水平案内部分４ａと、該水平案内部分４ａの後端部に連設する左下がりの傾斜部分４ｂとから成る全体形状が「へ」の字のカムレバー４が、先端部側の横軸５で軸支されている。
【０００５】
また、カムレバー４の直ぐ下方には、長杆状進退動トリガー６ａと、この進退動トリガー６ａの後端部にリンク係合した縦方向ロックレバー６ｂとから成るカムレバー用ロック手段６が配設されている。そして、前記長杆状トリガー６ａの先端部は、常時、図示しないバネ部材で、その先端部が引戸の開閉端部１ａから突出するように付勢されている。
一方、戸枠７には、基板８を介して、上記固定手段２及びカムプレート４に第１及び第２の滑動部分１３、１６がそれぞれ当接する閉鎖装置本体９が設けられている。しかして、前記閉鎖装置本体９は、横方向に伸縮する付勢手段１１と、固定軸１２に軸支され、その一端部が前記付勢手段１１の先端部に連結されていると共に、他端部に第１滑動部分に相当する押圧固定部１３を有するブーメラン形状のパワーレバー１４が設けられている。
【０００６】
さらに、前記基板８には、パワーレバー１４を所要の回転位置姿勢状態に保持するための位置保持手段１５が配設され、該位置保持手段１５は、前記パワーレバー１４と係脱可能な係止レバー１５ａと、該係止レバー１５ａと共働するように連結されかつ下端部に第２滑動部分に相当する滑動ローラ１６を備えた可動リンク１５ｂとから成る。
【０００７】
したがって、特許文献１の引戸閉鎖装置Ｘは、引戸１の上端部に設けられた固定手段２と、この固定手段２に回転可能に設けられたカムレバー４と、該カムレバー４用のロック手段６と、一方、前記固定手段２及びカムレバー４をそれぞれ滑動する複数の滑動部分１３、１６を有するパワーレバー１４を備え、かつ戸枠に設けられた閉鎖装置本体９とから成り、前記閉鎖装置本体９は、一端部に前記第１滑動部分に相当する押圧固定部１３を有すると共に、他端部が付勢手段１１に連結されかつ固定軸１２に軸支された前記パワーレバー１４と、このパワーレバー１４を所要の回転位置姿勢状態に保持するための位置保持手段１５とから成る。そして、前記位置保持手段１５は、パワーレバー１４の被係合部１８に係脱するように基板８に支軸１９を介して軸支された係止レバー１５ａと、該係止レバー１５ａに一体的に設けられていると共に、下端部に第２滑動部分に相当する滑動ローラ１６を有する可動リンク１５ｂとから成る。
【０００８】
上記構成に於いて、引戸を閉鎖する際、図１０で示すように、位置保持手段１５は、固定部材２の長尺状第２固定プレート２ｂを走行する滑動ローラ１６を有する可動リンク１５ｂ及び係止レバー１５ａを介してパワーレバー１４に対する係合を解き、また位置保持手段１５から係合を解かれた前記パワーレバー１４の押圧固定部１３は、カムレバー４の水平案内部分４ａから傾斜部分４ｂへと滑動可能と成る。
【０００９】
そして、前記押圧固定部１３が前記傾斜部分４ｂを滑動する直前には、トリガー６ａの先端部が戸枠７側に衝突し、その結果、該トリガー６ａが後退することにより、カムレバー用ロック手段６がカムレバー４に対する係止状態を解くので、付勢手段１１の付勢力がパワーレバー１４の傾斜部分４ｂに作用して引戸１が閉鎖方向Ａに移動する。
【００１０】
したがって、特許文献１の引戸閉鎖装置Ｘは、引戸を完全に閉鎖するための閉鎖アシスト装置であることから、本願発明に対して先行する公知文献となるものである。
【００１１】
しかしながら、特許文献１の引戸閉鎖装置Ｘは、閉鎖装置本体の複数の滑動部分に関して、パワーレバー１４の第１滑動部分に相当する押圧固定部１３は揺動可能なカムレバー４の水平案内部分４ａを滑動するのに対して、その第２滑動部分の滑動ローラ１６は固定部材２の長尺状第２固定プレート２ｂを走行するので、カムレバー４用のロック手段６が必要である、該ロック手段６を固定手段２に正確に配設しなければならない、固定手段２が非常に長い、正確に各部材を配設しなければならない等の問題点があった。
【先行技術文献】
【特許文献】
【００１２】
【特許文献１】特開２０１２−８２６６６号公報
【発明の概要】
【発明が解決しようとする課題】
【００１３】
引戸を完全閉鎖する際、引戸を閉める力が閉鎖直前で弱くなった場合や、或いは装置を構成するバネ部材の付勢力、或いは又ダンパー装置の作動抵抗によって引戸が途中で止まってしまい、その結果、完全に閉鎖できないことがある。また引戸が比較的大型の場合には、引戸を一時停止させるための緩衝装置の有無に関わらず、完全に引戸を閉めるための補助装置を備えた引戸閉鎖装置が望まれる。さらに、発明の目的が、少なくとも「指詰め防止」である場合には、引戸又は戸枠のいずれかに緩衝装置（ダンパー装置）が設けられ、引戸が閉まりきる直前の状態で一時停止するが、このような引戸一時停止型の実施形態の場合には、さらに引戸を完全閉鎖するために補助的作用を有する引戸閉鎖装置が望まれる。加えて、引戸の完全閉鎖時に、引戸が戸枠の縦枠に密着することが望まれる。
【００１４】
本願発明は、上記の要望を満足するために出現したものであり、発明の所期の目的は、特に、引戸又は戸枠のいずれかに設けられた固定手段の引戸の開閉方向の長さを短くすること及び固定手段に複数の滑動部分がそれぞれ当接するように戸枠又は引戸のいずれかに設けられた閉鎖装置本体をコンパクト化することである。
【００１５】
また発明の第２の目的は、「一つの固定手段（複数の固定プレートが一体的に係合した場合も含む）」に複数の制御機能を持たせることにより、閉鎖装置全体の構成部材の点数を少なくすることである。
【００１６】
その他の目的は、構成部材を精度良く製作をする必要がない、容易に引戸及び戸枠に装置を取付けることができること、安価に製作をすることができること等である。なお、本願発明は、特に図示しないが、引戸を一時停止させるための緩衝装置（ダンパー装置）と組み合わせて用いるのが望ましい（これは「ソフトクローズ装置」）と称される。    
【課題を解決するための手段】
【００１７】
本発明の引戸閉鎖装置は、引戸又は戸枠のいずれかに設けられた固定手段と、この固定手段に第１・第２の滑動部分がそれぞれ当接するように戸枠又は引戸のいずれかに設けられた閉鎖装置本体とから成る引戸閉鎖装置であって、前記固定手段は、前記引戸の開放側部位に設けられかつ導入傾斜面が形成された落しを有する第１案内部及びこの第１案内部より引戸の閉鎖側部位に設けられた第２案内部とで構成され、一方、前記閉鎖装置本体は、固定軸に軸支されて、一端部に前記第１滑動部分に相当する押圧固定部を有すると共に、他端部に被係合部を有する回転体、前記押圧固定部が前記落しに落ち込むように該回転体を落し方向へ常時付勢する付勢手段、一端部に前記回転体の前記被係合部に係合する係合部を有すると共に、他端部に前記第２滑動部分を有する前記回転体用の位置保持手段とから構成され、前記引戸の完全閉鎖時に、前記回転体の１滑動部分は前記固定手段の第１案内部に制御されると共に、前記回転体用の位置保持手段は前記固定手段の第２案内部に制御され、前記完全閉鎖時の直前までに回転体用の位置保持手段からの係合を解かれた回転体は、その後前記１滑動部分が前記落しの導入傾斜面を押圧しながら該落しに係入することを特徴とする。
【発明の効果】
【００１８】
（ａ）一つの固定手段に閉鎖装置本体の第１・第２の滑動部分がそれぞれ制御されるように構成したので、固定手段を短くすることができると共に、閉鎖装置本体のコンパクト化を図ることができる。
（ｂ）構成部材を精度良く製作をする必要がない、容易に引戸及び戸枠に装置を取付けることができる、安価に製作をすることができる等の利点がある。
（ｃ）引戸を一時停止させるための緩衝装置（ダンパー装置）と組み合わせて用いることもできる。
【図面の簡単な説明】
【００１９】
図１乃至図７は、本発明の第１実施形態の各説明図。図８は本発明の第２実施形態の各説明図。図９及び図１０は、従来の実施形態を示す各説明図。
【図１】引戸に固定部材を設け、一方戸枠に閉鎖装置本体を設けた正面視からの説明図。
【図２】正面視からの説明図。
【図３】斜視からの説明図。
【図４】完全閉鎖時の直前までに、回転体が位置保持手段からの係合を解かれた状態の説明図。
【図５】固定手段の第１案内部に回転体の１滑動部分が案内される説明図。
【図６】完全閉鎖時（一つの固定手段に閉鎖装置本体の第１・第２の滑動部分が制御された状態）の説明図。
【図７】引戸閉鎖時における全体の流れを示す説明図。
【図８】戸枠に閉鎖装置本体を設け、一方引戸に固定部材を設けた正面視からの説明図。
【図９】従来の実施形態であって、引戸に固定部材を設け、一方、戸枠に閉鎖装置本体を設けた正面視からの説明図。
【図１０】完全閉鎖時に至る説明図。
【発明を実施するための最良の形態】
【００２０】
本発明は特許文献１を改良したものであるから、特許文献１と同一の部分には同一又は同様の符号を付す。したがって、引戸、戸枠等の環境部材の詳細説明は割愛する。なお、固定部材及び閉鎖装置本体の取付け箇所は特許文献１と同じである。
【００２１】
（１）新規事項の１…新規事項の１は、「引戸閉鎖装置Ｘ１が、引戸１又は戸枠７のいずれかに設けられた固定手段２Ａと、この固定手段２Ａに第１・第２の滑動部分１３Ａ、１６Ａがそれぞれ当接するように戸枠１又は引戸７のいずれかに設けられた閉鎖装置本体９Ａとから成る点」である。
【００２２】
図１乃至図７は、引戸１に固定部材２Ａを設け、一方、戸枠７に閉鎖装置本体９Ａを設けた第１実施形態である。これに対して、特許文献１の引戸閉鎖装置Ｘは、引戸１及び戸枠７に対する取付け態様は第１実施形態と同様であるが、閉鎖装置本体９に設けた第１・第２の滑動部分１３、１６は、一つの固定手段２Ａに案内されるものではない。例えば図１０で示すように、閉鎖装置本体９の第１の滑動部分１３は可動片としてのパワーレバー１４の傾斜部分４ｂに乗っている。これに対して、位置保持手段１５の第２滑動部分に相当する滑動ローラ１６は、固定部材２としての第２固定プレート２ｂに乗っている。
このように、特許文献１の閉鎖装置本体９に設けた第１・第２の滑動部分１３、１６は、固定側の部材と可動側の部材にそれぞれ案内されることから、引戸１の閉鎖時、固定側の部材２と可動側の部材４が閉戸方向Ａへ相当移動しない限り制御されない構造であった。であるから、特許文献１の固定手段としての固定部材２は、そのストロークを長くする必要があった。
【００２３】
（２）新規事項の２…新規事項の２は固定手段２Ａである。すなわち、固定手段２Ａは、引戸１の開放側Ｂ部位に設けられ、かつ水平状或いはやや傾斜状の案内面２１ａに続く導入傾斜面２１ｂが形成された落し２３を有する第１案内部２１、及びこの第１案内部より引戸１の閉鎖側Ａ部位に設けられた第２案内部２２とで構成されている。
固定手段２Ａは、少なくも前記第１案内部２１を有する第１固定プレートＰと、この第１固定プレートの引戸の閉鎖側Ａ端部に一体的に固定された第２案内部２２を有する第２固定プレートＰ１とから成る引戸側の一つの案内部材である。
【００２４】
実施形態では、図２で示すように、合計３枚の固定プレートＰ、Ｐ１、Ｐ３を溶接、固着等により一体的に構成し、第１固定プレートＰには、やや傾斜状の案内面２１ａと、この案内面２１ａに続く急斜面状の導入傾斜面２１ｂと、該導入傾斜面２１ｂを有する落し２３をそれぞれ形成し、また第２固定プレートＰ１の第２案内部２２には、３０度〜４５度程度の導入傾斜面２２ａと、これに続く水平状支持面２２ｂをそれぞれ形成し、さらに、前記第１固定プレートＰと第２固定プレートＰ１との間に固定的に挟まれ、かつ前記落し２３と横方向に連通する第１滑動部分用支持凹所２４を有する第３固定プレートＰ３とから構成されている。
【００２５】
加えて、第２固定プレートＰ１の水平状支持面２２ｂは、第２の滑動部分１６Ａが滑動することを考慮して第１固定プレートＰの案内面２１ａよりも一段高く設定されている。なお、前記落し２３は、第１案内部２１の後端部に形成された落し溝であっても良い。このように、本実施形態の固定手段２Ａは、単数又は複数の固定プレートで構成された「一つの固定手段」であり、後述の閉鎖装置本体９Ａの第１・第２の滑動部分１３Ａ、１６Ａをそれぞれ制御する。
【００２６】
（３）新規事項の３…閉鎖装置本体９Ａである。
【００２７】
閉鎖装置本体９Ａは、固定軸１２に軸支されて、一端部に第１滑動部分１３Ａに相当する押圧固定部（実施形態では滑動ローラ）  １３Ａを有すると共に、他端部に被係合部１８を有する短板状の回転体１４Ａ、前記押圧固定部１３Ａが導入傾斜面２１ｂを案内された落し２３に落ち込むように該短板状回転体１４Ａを落し方向へ常時付勢する付勢手段１１Ａ、一端部に前記短板状回転体１４Ａの前記被係合部１８に係合する係合部を有すると共に、他端部に第２滑動部分１６Ａを有する前記回転体用位置保持手段１５Ａとから構成されている。
【００２８】
しかして、上記構成の閉鎖装置本体９Ａは、例えば図３及び図４で示すように、引戸１の完全閉鎖時に、短板状回転体１４Ａの第１滑動部分１３Ａは、引戸側の固定手段２Ａの第１案内部２１に制御されると共に、回転体用位置保持手段１５Ａは前記固定手段２Ａの第２案内部２２に制御され、完全閉鎖時の直前までに回転体用位置保持手段１５Ａからの係合を解かれる。
【００２９】
付言すると、図３及び図４は、引戸１の上辺部前框付近に複数の案内部を有する固定手段２Ａが配設され、一方、閉鎖装置本体９Ａは、横長状の収納ケース８Ａに組み込まれ、かつ、引戸閉鎖時に前記引戸１の上辺部前框付近に対向するように戸枠７の上枠に配設され、該閉鎖装置本体９Ａを構成する短板状回転体１４Ａは、第１滑動部分１３Ａの第１案内部２１の落し２３に落ちることが可能であり、また、略同時に又はそれ以前に前記固定手段２Ａの第２案内部２２に既に案内されている第２滑動部分１６Ａを介して回転体用位置保持手段１５Ａからの係合状態を解かれたことを示す。
【００３０】
上記のように回転体用位置保持手段１５Ａから自由になった短板状回転体１４Ａは、図６で示すように、その後、前記１滑動部分１３Ａが前記落し２３の導入傾斜面２１ｂを押圧しながら該落し２３に係入し、その結果、引戸１の開閉端部１ａは戸枠７の縦枠に密着する。
【００３１】
（４）その他の事項…収納ケース体８Ａ、付勢手段１１Ａ、回転体用位置保持手段１５Ａについて補足説明をする。閉鎖装置本体９Ａは、下端開口の長箱状の収納ケース体８Ａに組み込まれ、その短板状回転体１４Ａは、前記収納ケース体８Ａに横設軸架された固定軸１２に軸支されている。また、閉鎖装置本体９Ａの付勢手段１１Ａの中央部は固定前記軸１２に巻装されており、一端部は収納ケース体８Ａ内のバネ端支持ピン２６に支持され、その他端部は短板状回転体１４Ａに形成されたバネ支持部分１４ａに圧接している。
【００３２】
さらに、回転体用位置保持手段１５Ａは、その支軸１９に中央部が巻装されたバネ部材２７で係合解除の方向に常時付勢されており、一端部は不番のバネ支持部分に圧接し、他端部は収納ケース体８Ａの一側壁の内壁面に圧接している。そして、引戸１の完全閉鎖時、その第２滑動部分１６Ａが第２案内部２２の導入傾斜面２２ａを滑動して行くと、前記バネ部材２７のバネ力に抗して鉤状の係合部２８が短板状回転体１４Ａの被係合部１８から離れ行く。
【実施例】
【００３３】
図８は本発明の第２実施形態の各説明図である。この図８と図１を対比すると明らかなように、第２実施形態は、固定手段２Ａと閉鎖装置本体９Ａの取付け態様を逆にしたものである。すなわち、戸枠７の上枠に固定部材（固定手段）２Ａを設け、一方、引戸１の上辺部前框付近に閉鎖装置本体９Ａを設けた。この第２実施形態の場合は、固定手段２Ａの落し２３、支持凹所２４は、当然、逆様の状態と成る。なお、閉鎖装置本体９Ａの収納ケース８Ａの側壁下端部には、適宜、不番の切欠が形成されている。
【産業上の利用可能性】
【００３４】
本発明は建具の分野で利用される。
【符号の説明】
【００３５】
Ｘ、Ｘ１…引戸閉鎖装置、１…引戸、２Ａ…固定手段、Ｐ…第１固定プレート、Ｐ１…第２固定プレート、Ｐ３…第３固定プレート、７…戸枠、８Ａ…収納ケース、９Ａ…閉鎖装置本体、１１Ａ…付勢手段、１２…固定軸、１３Ａ…第１滑動部分、１４Ａ…回転体、１５Ａ…回転体用位置保持手段、１６Ａ…第２滑動部分、１８…被係合部、１９…支軸、２１…第１案内部、２１ａ…案内面、２１ｂ…導入傾斜面、２２…第２案内部、２２ａ…導入傾斜面、２２ｂ…水平状支持面、２３…落し（落し溝、凹所）、２７…バネ部材、２８…鉤状係合部、Ａ…閉戸側、Ｂ…開放側。
【図１】
2014012954.tif 000003
【図２】
2014012954.tif 000004
【図３】
2014012954.tif 000005
【図４】
2014012954.tif 000006
【図５】
2014012954.tif 000007
【図６】
2014012954.tif 000008
【図７】
2014012954.tif 000009
【図８】
2014012954.tif 000010
【図９】
2014012954.tif 000011
【図１０】
2014012954.tif 000012